(57)【特許請求の範囲】
【請求項１】
入力信号をＩＦ信号に変換するＩＦ変調器と、与えられた信号により前記ＩＦ信号のレベルを補正するレベル補正回路と、このＩＦ信号を通過させると共に与えられた信号により特性が制御される補償回路と、所定のＤＣ電圧を出力する電源部と、前記補償回路を経由した前記ＩＦ信号と前記ＤＣ電圧とを合成し、合成信号として同軸ケーブルに出力するとともに高周波部から伝送されたデータを分離する第１合成・分波器と、あらかじめ前記同軸ケーブルの周波数特性を記憶し前記分離されたデータにもとづいて前記レベル補正回路と前記補償回路に前記信号を与える第１演算装置とを有する制御部、
前記同軸ケーブルを介して入力された前記合成信号をＩＦ信号とＤＣ電圧とに分離するとともに、与えられたデータを応答信号として前記制御部に伝送する第２合成・分波器と、前記分離したＩＦ信号をＳＨＦ信号として出力する高周波回路と、前記分離されたＤＣ電圧を前記高周波回路に供給する高周波部電源と、前記分離されたＤＣ電圧のレベルを検出する電圧検出回路と、この電圧をデータとして前記第２合成、分波器に与える第２演算装置とを有する高周波部、
前記制御部と前記高周波部とを接続する前記同軸ケーブルを有するディジタルＦＰＵ送信装置において、
前記補償回路は周波数により異なるゲイン値に設定できる可変イコライザ回路としたことを特徴とするディジタルＦＰＵ送信装置。
【請求項２】
入力されたＳＨＦ信号をＩＦ信号として増幅する高周波回路と、前記ＩＦ信号に与えられたデータを応答信号として重畳し同軸ケーブルを介して制御部に伝送するとともに、入力されたＤＣ電圧を分離する第２合成・分波器と、前記分離されたＤＣ電圧を前記高周波回路に供給する高周波部電源と、前記分離したＤＣ電圧のレベルを検出する電圧検出回路と、この電圧をデータとして前記第２合成、分波器に与える第２演算装置とを有する高周波部、
所定のＤＣ電圧を出力する電源部と、前記同軸ケーブルを介して前記高周波部から伝送されたＩＦ信号から前記データを分離するとともに、前記ＤＣ電圧を前記同軸ケーブルに出力する第１合成・分波器と、このＩＦ信号を通過させると共に与えられた信号により特性が制御される補償回路と、与えられた信号により前記ＩＦ信号のレベルを補正するレベル補正回路と、入力されたＩＦ信号を画像・音声信号に復調するＩＦ復調器と、あらかじめ前記同軸ケーブルの周波数特性を記憶し前記分離されたデータにもとづいて前記レベル補正回路と前記補償回路に前記信号を与える第１演算装置とを有する制御部、
前記高周波部と前記制御部とを接続する前記同軸ケーブルを有するディジタルＦＰＵ受信装置において、
前記補償回路は周波数により異なるゲインに設定できる可変イコライザ回路としたことを特徴とするディジタルＦＰＵ受信装置。
【請求項３】
入力信号をＩＦ信号に変換するＩＦ変調器と、与えられた信号により前記ＩＦ信号のレベルを補正するレベル補正回路と、このＩＦ信号を通過させると共に与えられた信号により特性が制御される補償回路と、所定のＤＣ電圧を出力する電源部と、前記補償回路を経由した前記ＩＦ信号と前記ＤＣ電圧とを合成し、同軸ケーブルに合成信号として出力するとともに高周波部から伝送されたデータを分離する第１合成・分波器と、あらかじめ前記同軸ケーブルの周波数特性を記憶し前記分離されたデータにもとづいて前記レベル補正回路と前記補償回路に前記信号を与える第１演算装置と、前記高周波部との間で制御信号を授受する第１監視制御装置とを有する制御部、
前記同軸ケーブルを介して入力された前記合成信号をＩＦ信号とＤＣ電圧とに分離するとともに、与えられたデータを応答信号として前記制御部に伝送する第２合成・分波器と、前記分離されたＩＦ信号をＳＨＦ信号として出力する高周波回路と、前記分離されたＤＣ電圧を前記高周波回路に供給する高周波部電源と、前記制御装置との間で制御信号を授受する第２監視制御装置と、前記第２監視制御装置が受信する前記制御信号のレベルを検出するレベル検出回路と、このレベルをデータとして前記第２合成、分波器に与える第２演算装置とを有する高周波部、
前記制御部と前記高周波部とを接続する前記同軸ケーブルを有するディジタルＦＰＵ送信装置において、
前記補償回路は周波数により異なるゲイン値に設定できる可変イコライザ回路としたことを特徴とするディジタルＦＰＵ送信装置。
【請求項４】
入力されたＳＨＦ信号をＩＦ信号として増幅する高周波回路と、前記ＩＦ信号に与えられたデータを応答信号として重畳し同軸ケーブルを介して制御部に伝送するとともに、入力されたＤＣ電圧を分離する第２合成・分波器と、前記分離されたＤＣ電圧を前記高周波回路に供給する高周波部電源と、制御部との間で制御信号を授受する第２監視制御装置と、前記第２監視制御装置が受信する前記制御信号のレベルを検出するレベル検出回路と、このレベルをデータとして前記第２合成、分波器に与える第２演算装置とを有する高周波部、
所定のＤＣ電圧を出力する電源部と、前記同軸ケーブルを介して前記高周波部から伝送されたＩＦ信号から前記データを分離するとともに、前記ＤＣ電圧を前記同軸ケーブルに出力する第１合成・分波器と、このＩＦ信号を通過させると共に与えられた信号により特性が制御される補償回路と、与えられた信号により前記ＩＦ信号のレベルを補正するレベル補正回路と、入力されたＩＦ信号を画像・音声信号に復調するＩＦ復調器と、あらかじめ前記同軸ケーブルの周波数特性を記憶し前記分離されたデータにもとづいて前記レベル補正回路と前記可変イコライザ回路に前記信号を与える第１演算装置とを有する制御部、
前記高周波部と前記制御部とを接続する前記同軸ケーブルを有するディジタルＦＰＵ受信装置において、
前記補償回路は周波数により異なるゲインに設定できる可変イコライザ回路としたことを特徴とするディジタルＦＰＵ受信装置。
【請求項５】
入力信号をＩＦ信号に変換するＩＦ変調器と、与えられた信号により前記ＩＦ信号のレベルを補正するレベル補正回路と、このＩＦ信号を通過させると共に与えられた信号により特性が制御される補償回路と、所定のＤＣ電圧を出力する電源部と、前記補償回路を経由した前記ＩＦ信号と前記ＤＣ電圧とを合成し、同軸ケーブルに合成信号として出力するとともに高周波部から伝送されたデータを分離する第１合成・分波器と、あらかじめ前記同軸ケーブルの周波数特性を記憶し前記分離されたデータにもとづいて前記レベル補正回路と前記補償回路に前記信号を与える第１演算装置と、前記高周波部との間で制御信号を授受する第１監視制御装置とを有する制御部、
前記同軸ケーブルを介して入力された前記合成信号をＩＦ信号とＤＣ電圧及び音声信号に分離するとともに、与えられたデータを応答信号として前記制御部に伝送する第２合成・分波器と、前記分離されたＩＦ信号をＳＨＦ信号として出力する高周波回路と、前記分離されたＤＣ電圧を前記高周波回路に供給する高周波部電源と、前記分離された音声信号のレベルを検出するレベル検出回路と、このレベルをデータとして前記第２合成、分波器に与える第２演算装置とを有する高周波部、
前記制御部と前記高周波部とを接続する前記同軸ケーブルを有するディジタルＦＰＵ送信装置において、
前記補償回路は周波数により異なるゲイン値に設定できる可変イコライザ回路としたことを特徴とするディジタルＦＰＵ送信装置。
【請求項６】
入力されたＳＨＦ信号をＩＦ信号として増幅する高周波回路と、前記ＩＦ信号に与えられたデータを応答信号として重畳し同軸ケーブルを介して制御部に伝送するとともに、入力されたＤＣ電圧を分離し、更に前記ＩＦ信号に含まれる音声信号を分離する第２合成・分波器と、前記分離されたＤＣ電圧を前記高周波回路に供給する高周波部電源と、前記分離した音声信号のレベルを検出するレベル検出回路と、このレベルをデータとして前記第２合成、分波器に与える第２演算装置とを有する高周波部、
所定のＤＣ電圧を出力する電源部と、前記同軸ケーブルを介して前記高周波部から伝送されたＩＦ信号から前記データを分離するとともに、前記ＤＣ電圧を前記同軸ケーブルに出力する第１合成・分波器と、このＩＦ信号を通過させると共に与えられた信号により特性が制御される補償回路と、入力されたＩＦ信号を画像・音声信号に復調するＩＦ復調器と、あらかじめ前記同軸ケーブルの周波数特性を記憶し前記分離されたデータにもとづいて前記レベル補正回路と前記補償回路に前記信号を与える第１演算装置とを有する制御部、
前記高周波部と前記制御部とを接続する前記同軸ケーブルを有するディジタルＦＰＵ受信装置において、
前記補償回路は周波数により異なるゲインに設定できる可変イコライザ回路としたことを特徴とするディジタルＦＰＵ受信装置。
【請求項７】
制御部はＩＦ信号のレベルを所定の値に制御するＡＧＣ回路と、演算装置の指令にもとづいて前記ＡＧＣ回路の使用、不使用を選択する切り換えスイッチとを備えたことを特徴とする請求項１、３、５のいずれか一項に記載のＦＰＵ送信装置。
【請求項８】
制御部はＩＦ信号のレベルを所定の値に制御するＡＧＣ回路と、演算装置の指令にもとづいて前記ＡＧＣ回路の使用、不使用を選択する切り換えスイッチとを備えたことを特徴とする請求項２、４、６のいずれか一項に記載のＦＰＵ受信装置。
【発明の詳細な説明】
【０００１】
【発明の属する技術分野】
本発明は、映像、音声素材の中継伝送に使用する局外マイクロ波送信装置、または受信装置（ＦＰＵ装置）のうち、同軸ケーブルで高周波部と制御部を接続して運用するものに関する。
【０００２】
【従来の技術】
映像、音声素材（信号）の中継伝送に使用する局外マイクロ波送信装置または受信装置（Ｆｉｅｌｄ  Ｐｉｃｋｕｐ  Ｕｎｉｔ．ＦＰＵ装置）のうち、同軸ケーブルで高周波部と制御部を接続して運用するものに関して、特開平９−８５７７号公報に開示されたものに類似の、従来の送信装置のブロック図を図１２に、受信装置のブロック図を図１３に示す。  図１２の構成と、図１３の構成はよく似ているので、重複する説明を避けるため、主に図１２を用いて説明する。
図１２においてＴ１は制御部、Ｔ２は高周波部、３は制御部Ｔ１と高周波部Ｔ２を接続する同軸ケーブルである。制御部Ｔ１は、ＩＦ変調器１１と、制御部電源１２と、第１合成・分波器１３と、第１監視制御装置１４  と、第１音声変復調装置１５  と、ＡＧＣ回路１６  と、固定イコライザ回路１７  とを有している。
高周波部Ｔ２は、第２合成・分波器２１と、高周波回路２２と、高周波部電源２３と、第２監視制御装置２４  と、第２音声変復調装置２５  を有している。
【０００３】
次に動作について説明する。
制御部Ｔ１においてＩＦ変調器１１は入力される映像音声信号を１３０ＭＨｚのＩＦ信号に変換する。制御部電源１２は入力されるＡＣ電圧またはＤＣ電圧を所定のＤＣ電圧に変換する。第１合成・分波器１３は、ＩＦ変調器１１からのＩＦ信号と制御部電源１２からのＤＣ電圧と第１監視制御装置１４  からの監視制御信号と第１音声変復調装置１５  からの音声信号とを多重化し、周波数多重信号として同軸ケーブル３を通して高周波部Ｔ２に伝送する。
高周波部Ｔ２において、第２合成・  分波器２１は、同軸ケーブル３を通じて伝送される制御部からの周波数多重信号をＩＦ信号とＤＣ電圧と監視制御信号と音声信号に分離する。高周波回路２２は、第２合成・分波器２１で分離されたＩＦ信号をＳＨＦ帯信号に周波数変換し、所定の電力まで増幅した後出力する。高周波部電源２３は、第２合成・分波器２１で分離されたＤＣ電圧を所定の電圧に変換する。
【０００４】
第２監視制御装置２４  は、第２合成・分波器２１で分離された監視制御信号を受信し、その応答信号を第２合成・分波器２１を経由して制御部に返信する。第２音声変復調装置２５  は、第２合成・分波器２１で分離された音声信号を復調し音声として出力すると共に、入力された音声を変調し第２合成・分波器２１を経由して制御部に送信する。図１２の送信装置と図１３の受信装置の差異は、送信装置ではＩＦ信号からＳＨＦ帯信号に変換するのに対し、受信装置ではＳＨＦ帯信号からＩＦ信号に変換することである。従って受信装置では、送信装置のＩＦ変調器１１の代わりにＩＦ復調器１８  を有している。
【０００５】
このような送信装置又は受信装置では、その運用において同軸ケーブル３のケーブル長Ｌはある範囲（例えば５０〜２００ｍ）  で変化する。そのためケーブル長の違いにより、ケーブル減衰量や周波数特性が変化し、高周波部電源２３の受電電圧は無論、ＩＦ信号の入力レベルや周波数特性に影響を与える。従来は、受電電圧の低下に対しては、高周波部電源２３によるステップアップや、高周波回路２２への供給電力を調整するなどし、また、ＩＦ信号のレベル変動に対してはＡＧＣ回路１６  を設け、また、周波数特性の補正用には半固定諸元のイコライザ回路１７  を設けているため、これら補正回路の調整設定により定まる一定のケーブル長の変化範囲内では無調整で使用できる。しかし、この範囲を越えるとケーブルの長さに応じて再調整が必要となる。即ち、無調整で使用可能なケーブル長の変化範囲が狭いという問題があった。
【０００６】
【発明が解決しようとする課題】
従来のＦＰＵ送信装置、受信装置では、制御部と高周波部とを接続する同軸ケーブルのケーブル長Ｌの変化による電源電圧の変動や、ＩＦ信号のレベル変動は、自動的に補正されるものの、周波数特性の変化に対しては、手動による調整が必要であったため、無調整で対応可能なケーブル長の範囲が小さいという課題があった。
【０００７】
【課題を解決するための手段】
この発明のＦＰＵ送信装置は、入力信号をＩＦ信号に変換するＩＦ変調器と、与えられた信号により前記ＩＦ信号のレベルを補正するレベル補正回路と、このＩＦ信号を通過させると共に与えられた信号により特性が制御される補償回路と、所定のＤＣ電圧を出力する電源部と、前記補償回路を経由した前記ＩＦ信号と前記ＤＣ電圧とを合成し、合成信号として同軸ケーブルに出力するとともに高周波部から伝送されたデータを分離する第１合成・分波器と、あらかじめ前記同軸ケーブルの周波数特性を記憶し前記分離されたデータにもとづいて前記レベル補正回路と前記補償回路に前記信号を与える第１演算装置とを有する制御部、
前記同軸ケーブルを介して入力された前記合成信号をＩＦ信号とＤＣ電圧とに分離するとともに、与えられたデータを応答信号として前記制御部に伝送する第２合成・分波器と、前記分離したＩＦ信号をＳＨＦ信号として出力する高周波回路と、前記分離されたＤＣ電圧を前記高周波回路に供給する高周波部電源と、前記分離されたＤＣ電圧のレベルを検出する電圧検出回路と、この電圧をデータとして前記第２合成、分波器に与える第２演算装置とを有する高周波部、
前記制御部と前記高周波部とを接続する前記同軸ケーブルを有するディジタルＦＰＵ送信装置において、
前記補償回路は周波数により異なるゲイン値に設定できる可変イコライザ回路としたものである。
【０００８】
また、入力されたＳＨＦ信号をＩＦ信号として増幅する高周波回路と、前記ＩＦ信号に与えられたデータを応答信号として重畳し同軸ケーブルを介して制御部に伝送するとともに、入力されたＤＣ電圧を分離する第２合成・分波器と、前記分離されたＤＣ電圧を前記高周波回路に供給する高周波部電源と、前記分離したＤＣ電圧のレベルを検出する電圧検出回路と、この電圧をデータとして前記第２合成、分波器に与える第２演算装置とを有する高周波部、
所定のＤＣ電圧を出力する電源部と、前記同軸ケーブルを介して前記高周波部から伝送されたＩＦ信号から前記データを分離するとともに、前記ＤＣ電圧を前記同軸ケーブルに出力する第１合成・分波器と、このＩＦ信号を通過させると共に与えられた信号により特性が制御される補償回路と、与えられた信号により前記ＩＦ信号のレベルを補正するレベル補正回路と、入力されたＩＦ信号を画像・音声信号に復調するＩＦ復調器と、あらかじめ前記同軸ケーブルの周波数特性を記憶し前記分離されたデータにもとづいて前記レベル補正回路と前記補償回路に前記信号を与える第１演算装置とを有する制御部、
前記高周波部と前記制御部とを接続する前記同軸ケーブルを有するディジタルＦＰＵ受信装置において、
前記補償回路は周波数により異なるゲインに設定できる可変イコライザ回路としたものである。
【０００９】
また、入力信号をＩＦ信号に変換するＩＦ変調器と、与えられた信号により前記ＩＦ信号のレベルを補正するレベル補正回路と、このＩＦ信号を通過させると共に与えられた信号により特性が制御される補償回路と、所定のＤＣ電圧を出力する電源部と、前記補償回路を経由した前記ＩＦ信号と前記ＤＣ電圧とを合成し、同軸ケーブルに合成信号として出力するとともに高周波部から伝送されたデータを分離する第１合成・分波器と、あらかじめ前記同軸ケーブルの周波数特性を記憶し前記分離されたデータにもとづいて前記レベル補正回路と前記補償回路に前記信号を与える第１演算装置と、前記高周波部との間で制御信号を授受する第１監視制御装置とを有する制御部、
前記同軸ケーブルを介して入力された前記合成信号をＩＦ信号とＤＣ電圧とに分離するとともに、与えられたデータを応答信号として前記制御部に伝送する第２合成・分波器と、前記分離されたＩＦ信号をＳＨＦ信号として出力する高周波回路と、前記分離されたＤＣ電圧を前記高周波回路に供給する高周波部電源と、前記制御装置との間で制御信号を授受する第２監視制御装置と、前記第２監視制御装置が受信する前記制御信号のレベルを検出するレベル検出回路と、このレベルをデータとして前記第２合成、分波器に与える第２演算装置とを有する高周波部、
前記制御部と前記高周波部とを接続する前記同軸ケーブルを有するディジタルＦＰＵ送信装置において、
前記補償回路は周波数により異なるゲイン値に設定できる可変イコライザ回路としたものである。
【００１０】
また、入力されたＳＨＦ信号をＩＦ信号として増幅する高周波回路と、前記ＩＦ信号に与えられたデータを応答信号として重畳し同軸ケーブルを介して制御部に伝送するとともに、入力されたＤＣ電圧を分離する第２合成・分波器と、前記分離されたＤＣ電圧を前記高周波回路に供給する高周波部電源と、制御部との間で制御信号を授受する第２監視制御装置と、前記第２監視制御装置が受信する前記制御信号のレベルを検出するレベル検出回路と、このレベルをデータとして前記第２合成、分波器に与える第２演算装置とを有する高周波部、
所定のＤＣ電圧を出力する電源部と、前記同軸ケーブルを介して前記高周波部から伝送されたＩＦ信号から前記データを分離するとともに、前記ＤＣ電圧を前記同軸ケーブルに出力する第１合成・分波器と、このＩＦ信号を通過させると共に与えられた信号により特性が制御される補償回路と、与えられた信号により前記ＩＦ信号のレベルを補正するレベル補正回路と、入力されたＩＦ信号を画像・音声信号に復調するＩＦ復調器と、あらかじめ前記同軸ケーブルの周波数特性を記憶し前記分離されたデータにもとづいて前記レベル補正回路と前記可変イコライザ回路に前記信号を与える第１演算装置とを有する制御部、
前記高周波部と前記制御部とを接続する前記同軸ケーブルを有するディジタルＦＰＵ受信装置において、
前記補償回路は周波数により異なるゲインに設定できる可変イコライザ回路としたものである。
【００１１】
入力信号をＩＦ信号に変換するＩＦ変調器と、与えられた信号により前記ＩＦ信号のレベルを補正するレベル補正回路と、このＩＦ信号を通過させると共に与えられた信号により特性が制御される補償回路と、所定のＤＣ電圧を出力する電源部と、前記補償回路を経由した前記ＩＦ信号と前記ＤＣ電圧とを合成し、同軸ケーブルに合成信号として出力するとともに高周波部から伝送されたデータを分離する第１合成・分波器と、あらかじめ前記同軸ケーブルの周波数特性を記憶し前記分離されたデータにもとづいて前記レベル補正回路と前記補償回路に前記信号を与える第１演算装置と、前記高周波部との間で制御信号を授受する第１監視制御装置とを有する制御部、
前記同軸ケーブルを介して入力された前記合成信号をＩＦ信号とＤＣ電圧及び音声信号に分離するとともに、与えられたデータを応答信号として前記制御部に伝送する第２合成・分波器と、前記分離されたＩＦ信号をＳＨＦ信号として出力する高周波回路と、前記分離されたＤＣ電圧を前記高周波回路に供給する高周波部電源と、前記分離された音声信号のレベルを検出するレベル検出回路と、このレベルをデータとして前記第２合成、分波器に与える第２演算装置とを有する高周波部、
前記制御部と前記高周波部とを接続する前記同軸ケーブルを有するディジタルＦＰＵ送信装置において、
前記補償回路は周波数により異なるゲイン値に設定できる可変イコライザ回路としたことを特徴とするディジタルＦＰＵ送信装置。
【００１２】
入力されたＳＨＦ信号をＩＦ信号として増幅する高周波回路と、前記ＩＦ信号に与えられたデータを応答信号として重畳し同軸ケーブルを介して制御部に伝送するとともに、入力されたＤＣ電圧を分離し、更に前記ＩＦ信号に含まれる音声信号を分離する第２合成・分波器と、前記分離されたＤＣ電圧を前記高周波回路に供給する高周波部電源と、前記分離した音声信号のレベルを検出するレベル検出回路と、このレベルをデータとして前記第２合成、分波器に与える第２演算装置とを有する高周波部、
所定のＤＣ電圧を出力する電源部と、前記同軸ケーブルを介して前記高周波部から伝送されたＩＦ信号から前記データを分離するとともに、前記ＤＣ電圧を前記同軸ケーブルに出力する第１合成・分波器と、このＩＦ信号を通過させると共に与えられた信号により特性が制御される補償回路と、入力されたＩＦ信号を画像・音声信号に復調するＩＦ復調器と、あらかじめ前記同軸ケーブルの周波数特性を記憶し前記分離されたデータにもとづいて前記レベル補正回路と前記補償回路に前記信号を与える第１演算装置とを有する制御部、
前記高周波部と前記制御部とを接続する前記同軸ケーブルを有するディジタルＦＰＵ受信装置において、
前記補償回路は周波数により異なるゲインに設定できる可変イコライザ回路としたことを特徴とするディジタルＦＰＵ受信装置。
【００１３】
この発明のＦＰＵ送信装置は、制御部はＩＦ信号のレベルを所定の値に制御するＡＧＣ回路と、演算装置の指令にもとづいてＡＧＣ回路の使用、不使用を選択する切り換えスイッチとを備えたものである。
【００１４】
この発明のＦＰＵ受信装置は、制御部はＩＦ信号のレベルを所定の値に制御するＡＧＣ回路と、演算装置の指令にもとづいてＡＧＣ回路の使用、不使用を選択する切り換えスイッチとを備えたものである。
【００１５】
【発明の実施の形態】
実施の形態１．
図１に本発明における送信装置のブロック図を示す。同図において１０１は制御部、１０２は高周波部、３は制御部１０１と高周波部１０２を接続する同軸ケーブルである。
制御部１０１は、ＩＦ変調器１１と、制御部電源１２と、第１合成・分波器１３と、監視制御装置１４  と、第１音声変復調装置１５と、第１演算装置（ＣＰＵ）１９  と、レベル補正回路１１０  と、可変イコライザ回路１１１とを有している。
高周波部１０２は、第２合成・分波器２１と、高周波回路２２と、高周波部電源２３と、監視制御装置２４  と、第２音声変復調装置２５  と、電圧検出回路２６  と、第２演算装置（ＣＰＵ）２７  とを有している。
【００１６】
次に、動作について説明する。なお、以下の説明で言う信号及びデータは（ＩＦ信号とＳＨＦ帯信号とを除き）全てディジタル信号、ディジタルデータである。
制御部１０１において、ＩＦ変調器１１は入力される映像信号、音声信号などをＩＦ信号に変換する。制御部電源１２は入力されるＡＣ電圧あるいはＤＣ電圧を所定のＤＣ電圧に変換する。第１合成・分波器１３はＩＦ変調器１１からのＩＦ信号と、制御部電源１２からの所定のＤＣ電圧とを合成し、合成信号として同軸ケーブル３を通して高周波部１０２へ送る。
高周波部１０２において、第２合成・分波器２１は同軸ケーブル３を通して送られてくる制御部１０１からの合成信号をＩＦ信号と、ＤＣ電圧とに分離する。高周波電源２３は第２合成・分波器２１により分離されたＤＣ電圧を受けて所定の電圧に変換し、高周波部１０２の内部の各回路に供給する。
【００１７】
第２合成・分波器２１で分離されたＤＣ電圧を電圧検出回路２６  により検出し、第２演算装置（ＣＰＵ）２７  により検出データに変換する。この検出データは監視制御装置２４  に伝達し、応答信号の１項目として制御部１０１に返信する。制御部１０１の監視制御装置１４  は、この応答信号から検出データを抜き出し、演算装置（ＣＰＵ）１９  に伝達する。演算装置（ＣＰＵ）１９  は検  出データを基にレベル補正回路１１０  と可変イコライザ回路１１１の制御量を決定し、これらを最適値に制御する。
【００１８】
次にこの制御量の決定方法について説明する。
前記検出データにより検出したＤＣ電圧の大きさから、図２に示すように、まず同軸ケーブル３の長さＬを換算する（同軸ケーブル３は予め定めた規格のものが使用されている）。この長さＬに対応して、レベル補正回路１１０の補正量と、可変イコライザ回路１１１の設定内容とを如何にするべきかは、予め決定され、第１演算装置１９の図示しない記憶回路に記憶させておく。レベル補正量は例えば図３に示すようなもの、また、可変イコライザ回路の補正は例えば図４に示すようなものである。
第１演算装置１９は検出データに対応した補正量を前記記憶回路から読み取って制御量を決定する。
【００１９】
上記説明に於いて、第１演算装置１９はデータからケーブル長を求めると説明したが、最終的にはレベル補正回路１１０と可変イコライザ回路１１１とを制御するためのデータさえ得られれば、ケーブル長は必ずしも必要ではないことは言うまでもない。また、第１演算装置１９の作業の一部を第２演算装置１９で分担してもよい。また、出力はＳＨＦ帯信号として説明したが、無論より高い周波数の通信にも使用できる。
【００２０】
実施の形態２．
図５に本発明における受信装置のブロック図を示す。同図の構成は、図１に示した実施の形態１の送信装置の構成と類似しているが、受信装置なので、ＩＦ復調器１８を備え、かつ、画像、音声信号の流れの方向が図１とは逆方向になっている。ただしレベル補正回路１１０と可変イコライザ回路１１１とを制御する制御信号の流れの方向は図１と同じであるので、詳細な説明は省略する。
図５において２０１は制御部、２０２は高周波部、３は制御部２０１と高周波部２０２を接続する同軸ケーブルである。制御部２０１は、ＩＦ復調器１８  と、制御部電源１２と、第１合成・分波器１３と、第１監視制御装置１４と、第１音声変復調装置１５  と、第１演算装置（ＣＰＵ）１９  と、レベル補正回路１１０  と、可変イコライザ回路１１１とを有している。高周波部２０２は、第２合成・分波器２１と、高周波回路２２と、高周波部電源２３と、第２監視制御装置２４と、第２音声変復調装置２５  と電圧検出回路２６  と第２演算装置（ＣＰＵ）２７  とを有している。
高周波部２０２において、第２合成・分波器２１で分離されたＤＣ電圧を電圧検出回路２６  により検出し、第２演算装置（ＣＰＵ）２７  により検出データに変換する。検出データは第２監視制御装置２４に伝達し、応答信号の１項目として制御部２０１に返信する。制御部２０１の第１監視制御装置１４は、応答信号から検出データを抜き出し、第１演算装置（ＣＰＵ）１９  に伝達する。第１演算装置（ＣＰＵ）１９  は検出データを基にレベル補正回路１１０  と可変イコライザ回路１１１の制御量を決定し、これらを最適値に制御する。
【００２１】
実施の形態３．
実施の形態１及び実施の形態２では、同軸ケーブル３によるＤＣ電圧の低下を検出している。しかし、同軸ケーブル３の変化範囲内でのＤＣ電圧の低下の程度（変化の割合）は、図２に示したように、それほど大きくはない。また、高周波部内での電流の消費も、取り扱う信号の変化によって刻々と変化するので、必ずしも正確にケーブル長を測定できるとはかぎらない。そこで、同軸ケーブル３の長さにより変化する信号の減衰を捕らえたほうが、より実態に近い正確なデータが得られる可能性がある。
図６に本発明の実施の形態３による送信装置のブロック図を示す。１０３は制御部、１０４は高周波部である。高周波部１０４では、監視制御信号レベル（ディジタル信号のレベル）を監視制御信号レベル検出回路２８  （以下レベル検出回路）により検出し、第２演算装置（ＣＰＵ）２７  によって第２合成・  分波器２１で分離されたＤＣ電圧を電圧検出回路２６  で検出したと同様の検出データに（あるいは同軸ケーブル長Ｌに）変換する。レベル検出回路２８により検出した監視制御信号レベルと変換するＤＣ電圧レベルとの関係は、例えば図７に示すようなものとなる。念のため、上記監視制御信号はディジタル信号であるので、その信号レベルは監視制御信号の量に応じて変化するということはない。
上記以外の動作については実施の形態１と同じであるので、詳細な説明を省略する。
【００２２】
実施の形態４．
図８に実施の形態３の発明を受信装置に適用した実施の形態について受信装置のブロック図を示す。高周波部２０４は、監視制御信号レベルをレベル検出回路２８  により検出し、第２演算装置（ＣＰＵ）２７  によって第２合成・  分波器２１で分離されたＤＣ電圧  を電圧検出回路２６  で検出したと同様の検出データに（あるいは同軸ケーブル長Ｌに）変換する。上記以外の動作については実施の形態２と同じであるので、詳細な説明を省略する。
【００２３】
実施の形態５．
ケーブル長の測定に用いる信号は、実施の形態３または４に示した監視制御信号に限らず、他の信号を用いることもできる。
図９に本発明の実施の形態５の送信装置のブロック図を示す。高周波部１０６は、音声信号レベル（ディジタル信号のレベル）を音声信号レベル検出回路２９（以下レベル検出回路）により検出し、第２演算装置（ＣＰＵ）２７により検出データに変換する。ここでは実際の音声信号のレベルを検出しているので、実施の形態１と２で説明した、第２合成・分波器２１で分離されたＤＣ電圧を電圧検出回路２６で検出する方法よりも、また、実施の形態３と４で説明した監視制御信号レベルを検出する方法よりも、より実態に近い正確な検出が可能となる。念のため、上記音声信号はアナログ信号ではなくディジタル信号であるので、その信号レベルは音声信号の大きさに応じて変化するということはない。上記以外の部分は実施の形態１と同じであるので、詳細な説明を省略する。
【００２４】
実施の形態６．
図１０に実施の形態５のものを受信装置に適用した場合の受信装置ブロック図を示す。高周波部２０６では、音声信号レベルをレベル検出回路２９により検出し、第２演算装置（ＣＰＵ）２７により検出データに変換する。上記以外の部分は実施の形態２と同じであるので詳細な説明を省略する。
【００２５】
実施の形態７．
実際にＦＰＵ送受信機が使用される現場では、同軸ケーブル３は送信機と受信機のセツトに組み合わせて何種類かの長さのものが準備されており、距離に合わせて長さをその都度切り縮めたりすることは、一般的にはない。したがって実施の形態１〜６の方法で殆どの場合対応できる。しかし、例外的に極めて長くしなければならない場合が発生しないともかぎらないので、このような場合にも対応できる実施の形態７の構成を図１１に示す。
【００２６】
図に於いて、１０７は送信装置の制御部、１０８は送信装置の高周波部である。９９は信号切り換え回路であって、ＩＦ変調器１１の出力信号を直接、レベル補正回路１１０に送るか、ＡＧＣ回路１６を経由して送るかを選択するものである。信号切り換え回路９９は、第１演算装置１９からの指令にもとづいて切り換えられる。レベル補正回路１１０により補正が可能な場合には切り換え回路９９はＡＧＣ回路１６を経由しない側に切り換えられているが、ケーブル長がレベル補正回路１１０の補正範囲を逸脱するほど長く補正が出来ないと第１演算装置１９が判断したときに、切り換え回路９９はＡＧＣ回路１６を経由する側に切り換えられる。
これにより例えば図３のレベル補正量はその補正範囲を更に拡大することができ、対応可能なケーブル長の範囲がさらに拡大できる。
説明の都合上、ここでは送信装置について図示したが、受信装置についても同様の構成が可能である。また、実施の形態３〜６のものに適用することができる。
【００２７】
【発明の効果】
以上に説明したように、本発明のＦＰＵ送信装置、及びＦＰＵ受信装置では、同軸ケーブルの長さの変化による周波数特性の変化を補正する可変イコライザ回路を用いているので、従来の電圧補正だけの場合に比べて、より大きい長さ変化に無調整で対応できる。
【００２８】
また、監視制御信号のレベルの変動により同軸ケーブルの長さを計測しているので、従来より正確な計測、およびこの計測結果に基づく、より正確な補正ができる。
【００２９】
また、音声信号のレベルの変動により同軸ケーブルの長さを計測しているので、従来より正確な計測、およびこの計測結果に基づく、より正確な補正ができる。
【００３０】
また、ＡＧＣ回路を併用し、細かな補正をレベル補正回路で行うとともに、大まかな補正をＡＧＣ回路で行うので、よりひろいケーブル長の変化に対応できる。
【図面の簡単な説明】
【図１】本発明の実施の形態１のＦＰＵ送信装置の構成図である。
【図２】図１の動作特性を説明する特性説明図である。
【図３】図１の動作特性を説明する特性説明図である。
【図４】図１の動作特性を説明する特性説明図である。
【図５】本発明の実施の形態２のＦＰＵ受信装置の構成図である。
【図６】本発明の実施の形態３のＦＰＵ送信装置の構成図である。
【図７】図６のものの動作を説明するための特性説明図である。
【図８】本発明の実施の形態４のＦＰＵ受信装置の構成図である。
【図９】本発明の実施の形態５のＦＰＵ送信装置の構成図である。
【図１０】本発明の実施の形態６のＦＰＵ受信装置の構成図である。
【図１１】本発明の実施の形態７のＦＰＵ送信装置の構成図である。
【図１２】従来のＦＰＵ送信装置の構成図である。
【図１３】従来のＦＰＵ受信装置の構成図である。
【符号の説明】
１０１、１０３、１０５、１０７、Ｔ１  送信装置の制御部、
１０２、１０４、１０６、１０８、Ｔ２  送信装置の高周波部、
３、  同軸ケーブル、  １１    ＩＦ変調器、  １２    制御部電源、
１３    第１合成・  分波器、  １４    第１監視制御装置、
１５    第１音声変復調装置、  １８  ＩＦ復調器、
１９  第１演算装置（ＣＰＵ）、２１  第２合成・  分波器、
２２    高周波回路、  ２３    高周波部電源、  ２４    第２監視制御装置、
２５    第２音声変復調装置、  ２６    電圧検出回路、
２７    第２演算装置（ＣＰＵ）、２８    監視制御信号のレベル検出回路、
２９    音声信号のレベル検出回路、１１０  レベル補正回路、
１１１  可変イコライザ回路  。
【図１】
0003595275.tif 000002
【図２】
0003595275.tif 000003
【図３】
0003595275.tif 000004
【図４】
0003595275.tif 000005
【図５】
0003595275.tif 000006
【図６】
0003595275.tif 000007
【図７】
0003595275.tif 000008
【図８】
0003595275.tif 000009
【図９】
0003595275.tif 000010
【図１０】
0003595275.tif 000011
【図１１】
0003595275.tif 000012
【図１２】
0003595275.tif 000013
【図１３】
0003595275.tif 000014